(57)【要約】【課題】両手をフリーにした状態で任意の場所に自由に持ち運び携帯して、必要時にも両手をフリーにした状態で展開して日射や雨から身体を保護することが可能な背負い式傘携帯セットを提供すること等を目的とする。【解決手段】人の背中に背負うことが可能な背負い容器と、背負い容器に収納可能に構成される頭上保護部と、背負い容器に収納可能に構成される肩保護部と、を備える背負い式傘携帯セットとする。好ましくは、収納状態において、頭上保護部は肩保護部より人から遠い側に配置収納される背負い式傘携帯セットとする。【選択図】図１
2020078372.tif 000002
【特許請求の範囲】
【請求項１】
人の背中に背負うことが可能な背負い容器と、
前記背負い容器に収納可能に構成される頭上保護部と、
前記背負い容器に収納可能に構成される肩保護部と、を備える
ことを特徴とする背負い式傘携帯セット。
【請求項２】
請求項１に記載の背負い式傘携帯セットにおいて、
収納状態において、前記頭上保護部は前記肩保護部より前記人から遠い側に配置収納される
ことを特徴とする背負い式傘携帯セット。
【請求項３】
請求項１または請求項２に記載の背負い式傘携帯セットにおいて、
前記人への展開状態において、前記頭上保護部の頭上保護フレームには前記人の顔の側面において背負い帯との間隔を固定するための張架ロープが係止される
ことを特徴とする背負い式傘携帯セット。
【請求項４】
請求項１乃至請求項３のいずれか一項に記載の背負い式傘携帯セットにおいて、
前記人への展開状態において、前記肩保護部の肩保護用上端フレームを背負い帯に係止するための係合紐を備える
ことを特徴とする背負い式傘携帯セット。
【請求項５】
請求項１乃至請求項４のいずれか一項に記載の背負い式傘携帯セットにおいて、
前記肩保護部は、肩保護シートの上端が固定される一対の肩保護用上端フレームを備え、
前記肩保護用上端フレームの内端同士は、収納時に接着され、展開時には前記人の首を背後から挿通可能な程度に離間する
ことを特徴とする背負い式傘携帯セット。
【請求項６】
請求項１乃至請求項５のいずれか一項に記載の背負い式傘携帯セットにおいて、
前記頭上保護部の外縁を構成する頭上保護フレームは逆Ｕ字形状であり、湾曲用フレームを前記頭上保護フレーム間に備え、
前記人の頭上への展開状態において、前記湾曲用フレームは、頭頂部から後頭部にかけて頭部形状に沿って外側に膨らんだ湾曲形状を構成する
ことを特徴とする背負い式傘携帯セット。
【請求項７】
請求項５に記載の背負い式傘携帯セットにおいて、
前記肩保護部は、その一端が前記肩保護用上端フレームに対して係合され、その他端が前記背負い容器内に収納されて、前記肩保護用上端フレームの展開程度に応じて前記背負い容器から露出される長さが調整される肩保護用垂直フレームを備える
ことを特徴とする背負い式傘携帯セット。
【請求項８】
請求項７に記載の背負い式傘携帯セットにおいて、
前記肩保護用垂直フレームは、前記肩保護用上端フレームに対してスライド可能に係合され、
一対の前記肩保護用上端フレームが最も離間した状態では前記肩保護用垂直フレームは前記肩保護用上端フレームの内端に位置し、
一対の前記肩保護用上端フレームの内端同士が連接された状態では前記肩保護用垂直フレームは前記肩保護用上端フレームの外端に位置する  
ことを特徴とする背負い式傘携帯セット。
【請求項９】
請求項８に記載の背負い式傘携帯セットにおいて、
前記肩保護用垂直フレームは、全体形状として上方が開口されたＵ字形状を呈し、その底辺には肩保護シートが固定される
ことを特徴とする背負い式傘携帯セット。
【請求項１０】
請求項１乃至請求項９のいずれか一項に記載の背負い式傘携帯セットの展開方法であって、
前記頭上保護部または／および前記肩保護部を前記背負い容器から上方へ引き出す工程と、
前記引き出した頭上保護部を頭上を覆うように頭上で前方へ湾曲させる工程または／及び前記引き出した肩保護部を肩上を覆うように肩上で前方へ湾曲させる工程と、
前記前方へ湾曲させた前記頭上保護部または／および前記肩保護部を、背負い帯に対して直接または間接に固定する工程と、を有する
ことを特徴とする背負い式傘携帯セットの展開方法。
【請求項１１】
請求項１乃至請求項９のいずれか一項に記載の背負い式傘携帯セットの収納方法であって、
前方へ湾曲している前記頭上保護部または／および前記肩保護部の、背負い帯に対する直接または間接の固定を解放して湾曲状態を解除する工程と、
湾曲状態が解除された前記頭上保護部または／および前記肩保護部を前記背負い容器内への下方へ押し入れる工程と、を有する
ことを特徴とする背負い式傘携帯セットの収納方法。
【発明の詳細な説明】
【技術分野】
【０００１】
本発明は、両手をフリーにした状態で任意の場所に携帯して持ち運び必要に応じて展開して雨や日射を防ぐことができる背負い式傘携帯セット等に関する。
【背景技術】
【０００２】
下記特許文献１には、既存の背負い部材に対応した装着部を備えることで種々対応できると共に、枠部となる可撓性線状材と傘布で傘体を形成したものであるから、連結紐の連結を解除することで傘体が平板状となり、捩じり畳むことでコンパクトに収納することができる背負い傘が提案されている。
【０００３】
特許文献１に係る背負い傘によると、適宜な背負い部材に装着して使用する背負い傘であって、背負い部材の頂部に載置装着される基体と、可撓性材を撓曲させて前記基体上に起立形成した枠部に傘布を張設した傘体と、基体の左右端近傍と傘体の基体と反対側の左右縁とを連結して傘体を撓めて湾曲状態とする連結紐とを備えてなることを特徴とするものでありこの背負い傘は、基体と傘体とを連結紐で連結すると平板状の傘体が前後方向（基体を後方とする）で湾曲し、基体を背負い部材に装着して傘体が背負い部材の前方に張り出すようにし、前記の背負い部材を傘使用者が担うことで、傘体が使用者の頭部上方に庇状に突出し、傘としての機能を発揮することが記載されている。
【０００４】
また、特許文献１に係る背負い傘によると、適宜な背負い部材に装着して使用する背負い傘であって、背負い部材への装着部を備えて背負い部材の頂部に載置装着される基体と、可撓性材を撓曲させて前記基体上に起立形成した枠部に傘布を張設した傘体と、背負い部材に装着して前記傘体を前方に倒曲した際における傘体の前縁左右部分と背負い部材の背負い帯の下方部分を連結する連結紐とを備えてなることから、基体を装着した背負い部材を傘使用者が担い、使用者の頭部背方に大きく起立することになる傘体の上方部分を前方へ倒曲すると、傘体は前後方向で大きく撓み、前方部分が使用者の頭部を覆う庇状となる。そこで連結紐で傘体の前縁左右部分と背負い部材の背負い帯の下方部分を連結すると、前記状態を維持して傘としての機能を発揮するものである。特に請求項１記載の背負い傘は、基体を基点とする片持ち支持で、風によって傘体が煽られた場合の抵抗力に問題があるが、本請求項の傘体は、前後二点支持となり風による煽りに対しても十分な抵抗力を備えることになることが記載されている。
【０００５】
また、特許文献１に係る背負い傘の作用効果として、既存の背負い部材に対応した装着部を備えることで種々対応できると共に、枠部となる可撓性線状材と傘布で傘体を形成したものであるから、連結紐の連結を解除することで傘体が平板状となり、捩じり畳むことでコンパクトに収納することができることが記載されている。
【先行技術文献】
【特許文献】
【０００６】
【特許文献１】実用新案登録第３２１４７０２号公報
【発明の概要】
【発明が解決しようとする課題】
【０００７】
昨今、紫外線の身体への有害性が広く認識されるようになっており、紫外線を遮断するＵＶカット被覆や帽子、ＵＶカットクリームやＵＶカットサングラス、ＵＶカット日傘等、身体への紫外線の直接的な照射を回避する手段が注目を浴びている。従来、日傘に関しては女性に比較的多く利用されて女性用デザイン等装飾が施された日傘も多く販売されているが、男性については日傘はあまり利用されているとは言えない。その原因のひとつに、日傘を持参すると携帯時も展開時も、持ち手が制約を受けることが挙げられる。両手を使って作業をしなければいけない場合等には、従来の日傘は使用できない。また、上述のような問題点は、雨傘においても同様に存在する。
【０００８】
また、日傘や雨傘を使用しない場合には、持ち手が塞がれるのみならずその容積が結構嵩張り重さもあることから自由な行動・作業がその観点からも制約を受けることのみならず、どこかに置いたままで置き忘れ放置等の懸念も生じることとなる。このため、軽量であるのみならず、使用しない場合には可能な限りコンパクトでかつ作業等の生活の障害とならないような携帯セットとした傘があれば好ましいと思われる。また、従来、帽子等で頭を保護することはできても、肩を含む身体上方全体を保護することはできない点についても解決が求められる。
【０００９】
本発明は上述の問題点に鑑み為されたものであり、両手をフリーにした状態で任意の場所に自由に持ち運び携帯して、必要時にも両手をフリーにした状態で展開して日射や雨から身体を保護することが可能な背負い式傘携帯セットを提供すること等を目的とする。また、好ましくは、軽量かつ撤収時には極めてコンパクトに収納でき、さらに好ましくは肩部分も任意に保護可能な傘構成を提案することを目的とする。
【課題を解決するための手段】
【００１０】
本発明の背負い式傘携帯セットは、人の背中に背負うことが可能な背負い容器と、背負い容器に収納可能に構成される頭上保護部と、背負い容器に収納可能に構成される肩保護部と、を備えることを特徴とする。
【００１１】
また、本発明の背負い式傘携帯セットは好ましくは、収納状態において、頭上保護部は肩保護部より人から遠い側に配置収納されることを特徴とする。
【００１２】
また、本発明の背負い式傘携帯セットはさらに好ましくは、人への展開状態において、頭上保護部の頭上保護フレームには人の顔の側面において背負い帯との間隔を固定するための張架ロープが係止されることを特徴とする。
【００１３】
また、本発明の背負い式傘携帯セットはさらに好ましくは、人への展開状態において、肩保護部の肩保護用上端フレームを背負い帯に係止するための係合紐を備えることを特徴とする。
【００１４】
また、本発明の背負い式傘携帯セットはさらに好ましくは、肩保護部が、肩保護シートの上端が固定される一対の肩保護用上端フレームを備え、肩保護用上端フレームの内端同士は、収納時に接着され、展開時には人の首を背後から挿通可能な程度に離間することを特徴とする。
【００１５】
また、本発明の背負い式傘携帯セットはさらに好ましくは、頭上保護部の外縁を構成する頭上保護フレームが逆Ｕ字形状であり、湾曲用フレームを頭上保護フレーム間に備え、人の頭上への展開状態において、湾曲用フレームは、頭頂部から後頭部にかけて頭部形状に沿って外側に膨らんだ湾曲形状を構成することを特徴とする。
【００１６】
また、本発明の背負い式傘携帯セットはさらに好ましくは、肩保護部が、その一端が肩保護用上端フレームに対して係合され、その他端が背負い容器内に収納されて、肩保護用上端フレームの展開程度に応じて背負い容器から露出される長さが調整される肩保護用垂直フレームを備えることを特徴とする。
【００１７】
また、本発明の背負い式傘携帯セットはさらに好ましくは、肩保護用垂直フレームが、肩保護用上端フレームに対してスライド可能に係合され、一対の肩保護用上端フレームが最も離間した状態では肩保護用垂直フレームは肩保護用上端フレームの内端に位置し、一対の肩保護用上端フレームの内端同士が連接された状態では肩保護用垂直フレームは肩保護用上端フレームの外端に位置することを特徴とする。
【００１８】
また、本発明の背負い式傘携帯セットはさらに好ましくは、肩保護用垂直フレームが、全体形状として上方が開口されたコの字形状を呈し、その底辺には肩保護シートが固定されることを特徴とする。
【００１９】
本発明の背負い式傘携帯セットの展開方法は、上述のいずれかに記載の背負い式傘携帯セットの展開方法であって、頭上保護部または／および肩保護部を背負い容器から上方へ引き出す工程と、引き出した頭上保護部を頭上を覆うように頭上で前方へ湾曲させる工程または／及び引き出した肩保護部を肩上を覆うように肩上で前方へ湾曲させる工程と、前方へ湾曲させた頭上保護部または／および肩保護部を、背負い帯に対して直接または間接に固定する工程と、を有することを特徴とする。
【００２０】
本発明の背負い式傘携帯セットの収納方法は、上述のいずれかに記載の背負い式傘携帯セットの収納方法であって、前方へ湾曲している頭上保護部または／および肩保護部の、背負い帯に対する直接または間接の固定を解放して湾曲状態を解除する工程と、湾曲状態が解除された頭上保護部または／および肩保護部を背負い容器内への下方へ押し入れる工程と、を有することを特徴とする。
【発明の効果】
【００２１】
両手をフリーにした状態で任意の場所に自由に持ち運び携帯して、必要時にも両手をフリーにした状態で展開して日射や雨から身体を保護することが可能な背負い式傘携帯セットを提供できる。また、好ましくは、軽量かつ撤収時には極めてコンパクトに収納でき、さらに好ましくは肩部分も任意に保護可能な傘構成とできる。両手をフリーにできるので、各種作業のみならず屋外スポーツ観戦においての拍手や応援等における利便性も大幅に向上できるものとなる。
【図面の簡単な説明】
【００２２】
【図１】本実施形態の背負い式傘携帯セットを人に装着して展開した状態を説明する斜視図である。
【図２】本実施形態の背負い式傘携帯セットを人に装着して展開した状態を説明する背面図である。
【図３】本実施形態の背負い式傘携帯セットを人に装着して展開した状態を説明する側面図である。
【図４】本実施形態の背負い式傘携帯セットを人に装着して展開した状態を説明する斜視図である。
【図５】頭上保護部と肩保護部の人への展開保護を解除した収納しようとする（または展開しようとする）、展開と収納の途中状態を説明する図である。
【図６】肩保護部を背負い容器内に収納する手順を説明する図である。
【図７】肩保護部の肩保護用上端フレームと肩保護用垂直フレームとの関連性の典型例をさらに詳細に説明する図である。
【図８】背負い容器の内部構成の一例を斜め上方から観察した状態を説明する図である。
【図９】（ａ）及び（ｂ）は肩保護部の肩保護用上端フレームと肩保護用垂直フレームとの関連性の典型例をさらに詳細に説明する図であり、（ｃ）及び（ｄ）は肩保護部と頭上保護部とをどのように連携して展開させ・撤収させるかの関係性を説明する一例である。
【図１０】図１に対応する写真図面である。
【図１１】図２に対応する写真図面である。
【図１２】図３に対応する写真図面である。
【発明を実施するための形態】
【００２３】
本発明の背負い式傘携帯セットは、背負っている収納容器に、傘や日傘を収納しておいたり頭上または／及び肩に展開したりして、両手が空いた状態で任意に体への雨や日射を遮ることが可能であり、不要時にはコンパクトに収納して背中に背負っておける背負い式傘携帯セットである。
【００２４】
図１は、本実施形態の背負い式傘携帯セット１０００を人に装着して展開した状態を説明する斜視図である。図１に示すように、背負い式傘携帯セット１０００は、頭上保護部１１００と、背負い帯１２００と、背中に背負い容器１３００と、肩保護部１４００と、を備える。なお、図１０は図１に対応する写真図面である。
【００２５】
また、頭上保護部１１００は、頭上保護シート１１１０と、頭上保護シート１１１０を張架する骨組みとなる頭上保護フレーム１１２０と、背負い帯１２００と頭上保護フレーム１１２０前方部との間の間隔を制限して、頭上保護シート１１１０が背中から頭上に湾曲して頭上を覆うようにするために、背負い帯１２００にマジックテープ（登録商標）やフック等の任意の係止具で着脱自在に係止された張架ロープ１１３０とを備える。
【００２６】
この場合に、図１に示すように肩保護部１４００を介して、張架ロープ１１３０が肩保護部１４００とともに頭上保護部１１００を背負い帯１２００に固定するものとできる。また、肩保護部１４００の係合紐１４２７と頭上保護部１１００の張架ロープ１１３０とを個別に独立して、背負い帯１２００にマジックテープ等で着脱できる構成とすれば、肩保護部１４００と頭上保護部１１００とのいずれか一方を任意に展開しまたは任意に収納することができるので好ましい。
【００２７】
また、頭上保護フレーム１１２０は、頭上保護シート１１１０の外縁に沿ってその全体形状を形成する外縁フレーム１１２０（１）と、頭頂部分が頭の形に馴染むように湾曲して膨らむ態様でもって、頭上保護シート１１１０が張架されるように機能する湾曲用フレーム１１２０（２）とで構成される。すなわち、展開した状態では、外縁フレーム１１２０（１）が張架ロープ１１３０により少し下方に維持されることから、相対的に湾曲用フレーム１１２０（２）長さが余るようになってちょうど頭上及び後頭部が膨らむように湾曲する形状を呈する。
【００２８】
また、図１から理解できるように、肩保護部１４００は、肩保護シート１４１０と、肩保護シート１４１０を張架するように上端部分に設けられる肩保護用上端フレーム１４２０と、を備える。肩保護用上端フレーム１４２０は、後述する肩保護用垂直フレーム１４２５によって背負い容器１３００から上方へと支持されているものとなる。また、図２は、本実施形態の背負い式傘携帯セット１０００を人に装着して展開した状態を説明する背面図である。また、図３は、本実施形態の背負い式傘携帯セット１０００を人に装着して展開した状態を説明する側面図である。なお、図１１は図２に対応する写真図面であり、図１２は図３に対応する写真図面である。
【００２９】
図２及び図３に示すように、背負い容器１３００は、撤収される頭上保護シート１１１０や肩保護シート１４１０及びそれらを支持するフレーム類一式の全てまたは一部が収納されることができるように内部に収納空間を備えた薄い平板状とされる。また、外縁フレーム１１２０（１）と湾曲用フレーム１１２０（２）の下端が固定された頭用下端固定部１３１０は、背負い容器１３００内部で、頭上保護シート１１１０や肩保護シート１４１０の展開程度に応じて、上下にスライド移動可能に構成されている。
【００３０】
また、肩保護用垂直フレーム１４２５や肩保護シート１４１０は肩用下端固定部１３１１に固定されている。肩保護用垂直フレーム１４２５をコの字形状として一体構成した場合には、肩用下端固定部１３１１が肩保護用垂直フレーム１４２５の最下端に相当する。頭用下端固定部１３１０と肩用下端固定部１３１１とは共に独立してまたは連動して上または下または上下にスライド移動可能に構成され、人に装着した状態で頭用下端固定部１３１０の方が肩用下端固定部１３１１よりも外側に位置する。これにより、頭用下端固定部１３１０上に設けられる頭上保護シート１１１０が肩保護シート１４１０よりも上方で頭上に展開され易くすることができる。また、頭用下端固定部１３１０と肩用下端固定部１３１１とを設けずに、背負い容器１３００内に垂直に設けられた中空パイプまたはガイド溝またはガイドレール等に沿って、外縁フレーム１１２０（１）と湾曲用フレーム１１２０（２）等が上下にスライドする構成とすることもできる。これにより、頭用下端固定部１３１０と肩用下端固定部１３１１とが上下スライド時の障害とならないので好ましい。
【００３１】
また、図４は、本実施形態の背負い式傘携帯セット１０００を人に装着して展開した状態を説明する斜視図である。図４においては、張架ロープ１１３０を肩保護部１４００の肩保護用上端フレーム１４２０にマジックテープで固定し、肩保護部１４００の係合紐１４２７を背負い帯１２００にマジックテープで固定した状態（但し、図４では手で仮押さえしている）を示している。
【００３２】
また、図５は、頭上保護部１１００と肩保護部１４００の人への展開保護を解除した収納しようとする（または展開しようとする）、展開と収納の途中状態を説明する図である。図５に示す状態では、頭上保護部１１００の外縁フレーム１１２０（１）と湾曲用フレーム１１２０（２）と頭上保護シート１１１０とが頭上まで達せずに後頭部の位置で留まっているので、これらを支持する頭用下端固定部１３１０は、背負い容器１３００のやや下方に位置している。図５では示していないが、背負い容器１３００内に頭上保護部１１００全体が収納可能なように外縁フレーム１１２０（１）及び湾曲用フレーム１１２０（２）の長さと、背負い容器１３００の長さと、の関係を適宜調整してもよい。
【００３３】
ここで、頭用下端固定部１３１０を背負い容器１３００の底部まで下げると頭上保護シート１１１０等が最下方にまで収納される状態となるが、その場合でも、頭上保護シート１１１０等の上方は背負い容器１３００の上端からなお突出している。しかし、当該突出している部分は、例えば車両用の折り畳みコンパクトサンシェードのように任意の折畳み可能な構成として全て背負い容器１３００内に収納可能な構成とすることができる。例えば、車両の後部座席窓に用いられるメッシュ布製折畳みサンシェードのように、頭上保護シート１１１０を外縁フレーム１１２０（１）と湾曲用フレーム１１２０（２）と共に捻じった状態で表裏面を合わせて薄板状に収納するものとしてもよいし、ロールスクリーン状に巻き上げ収納するものとしてもよい。
【００３４】
また、図６は、肩保護部１４００を背負い容器１３００内に収納する手順を説明する図である。図６（ａ）に示すように、人への装着を解除した状態で各肩保護用上端フレーム１４２０の内端１４２１同士をマグネット等により連接する。すなわち、人の首部分の背後からその間に挿入可能なように離間していた内端１４２１同士を、内側に寄せてマグネット等で連接する。この動作において、肩保護用垂直フレーム１４２５は内端１４２１が離間している状態からほぼ同じ位置で動くことなく、肩保護用上端フレーム１４２０に対して肩保護用垂直フレーム１４２５が内端１４２１の位置から外端までスライド摺動する。
【００３５】
これにより、ちょうど人の首が配置されるべき肩保護シート１４１０の開口部分（または切れ込み部分）は閉じられる。そして、図６（ｂ）に示すように、肩保護部１４００を背負い容器１３００内に押し入れて収納する。図６（ｂ）から理解できるように、完全に収納した状態の肩保護部１４００は、肩保護用上端フレーム１４２０が背負い容器１３００上端からかろうじて見える程度とすることができる。肩保護用上端フレーム１４２０が背負い容器１３００上端から露出していれば、展開する場合に肩保護用上端フレーム１４２０を把持して速やかに展開可能となる。しかし、例えば肩保護用上端フレーム１４２０も含めて肩保護部１４００全体が全て背負い容器１３００内に収まる構成としてもよい。また、図６（ｂ）に示すように、人に装着されない場合の頭上保護部１１００は、上方に凸の略Ｕ字型形状である。
【００３６】
また、図７及び図９（ａ）、図９（ｂ）は、肩保護部１４００の肩保護用上端フレーム１４２０と肩保護用垂直フレーム１４２５との関連性の典型例をさらに詳細に説明する図である。図７及び図９（ａ）は肩保護部１４００の構成概要を説明しており、肩保護シート１４１０の上端が肩保護用上端フレーム１４２０に固定されており、これとは別に、上方が開放されたコの字形状の肩保護用垂直フレーム１４２５の一対の上端が、一対の肩保護用上端フレーム１４２０に沿ってそれぞれ左右に図７（ｂ）に示すＡ−Ｂ間でスライド摺動可能に係合されている。
【００３７】
肩保護シート１４１０の下端は、肩保護用垂直フレーム１４２５の底辺、すなわち肩用下端固定部１３１１、に固定されている。各肩保護用上端フレーム１４２０の内端１４２１はマグネット（磁石）になっており、内端１４２０同士を自由に係合（この場合の肩保護用垂直フレーム１４２５は図７（ｂ）のＡの位置）したり・開放離間（この場合の肩保護用垂直フレーム１４２５は図７（ｂ）のＢの位置）させることができる。内端１４２０同士のマグネット接着により肩保護シート１４１０がコンパクトに収納態勢となり、内端１４２０同士を左右に大きく離間させることで、首を挟んで両肩を覆える展開態勢となる。
【００３８】
図９（ｂ）は肩保護用上端フレーム１４２０の構成をさらに詳細に説明する拡大図である。肩保護用上端フレーム１４２０は、内端１４２１側が開放（但し開放部分にはマグネット１４２１が固定されて閉塞されている）されたＵ字形状を呈しており、上フレーム１４２０（ａ）に肩保護用垂直フレーム１４２５がスライド摺動部材１４２６を介してスライド可能に係合されている。また、下フレーム１４２０（ｂ）全体にわたって肩保護シート１４１０上端が固定されている。また、スライド摺動部材１４２６には係合紐１４２７が設けられている。係合紐１４２７には背負い帯１２００及び／または張架ロープ１１３０へ脱着可能とするマジックテープが設けられても良い。
【００３９】
また、図９（ｃ）及び図９（ｄ）は、背中に背負い容器１３００内における肩保護用垂直フレーム１４２５と外縁フレーム１１２０（１）との連携関係の典型例を説明する概要図である。要するに、展開しようとする場合に肩保護部１４００を引き出せば、頭上保護部１１００も連動して引き出せる構成であればより利便性が高まる。同様に展開しようとする場合に頭上保護部１１００を引き出せば、肩保護部１４００も連動して引き出せる構成であればより利便性が高まるものとなる。
【００４０】
また、逆に収納しようとする場合に肩保護部１４００を押し入れ収納すれば、頭上保護部１１００も連動して押し入れ収納される構成であればより利便性が高まる。同様に収納しようとする場合に頭上保護部１１００を押し入れ収納すれば、肩保護部１４００も連動して押し入れ収納される構成であればより利便性が高まるものとなる。一方、いずれか一方のみを任意に引き出したり、いずれか一方のみを任意に収納可能な構成にしてもよい。
【００４１】
肩保護用垂直フレーム１４２５は肩保護部１４００を構成し、外縁フレーム１１２０（１）は頭上保護部１１００を構成するものであるから、図９（ｃ）及び図９（ｄ）は、肩保護部１４００と頭上保護部１１００とをどのように連携して展開させ・撤収させるかの関係性を説明する一例である。
【００４２】
例えば、図９（ｃ）に示すようにストッパ１０１を設ける構成とすれば、肩保護用垂直フレーム１４２５を引き上げると（すなわち肩保護部１４００を展開しようとすると）これに連携して外縁フレーム１１２０（１）も引き上げられることとなって、頭上保護部１１００も展開態勢となる。また、その逆に、外縁フレーム１１２０（１）を引き上げると（すなわち頭上保護部１１００を展開しようとすると）これに連携して肩保護用垂直フレーム１４２５も引き上げられることとなって、肩保護部１４００も展開態勢となる。一方、撤収する場合には、肩保護用垂直フレーム１４２５と外縁フレーム１１２０（１）とを個別に独立して撤収することができるので、いずれか一方のみを展開状態として他方を撤収させるものとできる。
【００４３】
また、図９（ｄ）に示すようにストッパ１０１を設ける構成とすれば、肩保護用垂直フレーム１４２５のみを単独で上方にげて肩保護部１４００のみを展開態勢とすることができる。一方で、外縁フレーム１１２０（１）を上方に引き上げるとこれに連動して肩保護用垂直フレーム１４２５も引き上げられることとなるので、すなわち頭上保護部１１００を展開しようとすると肩保護部１４００も連動して展開態勢とされることとなる。逆に、撤収時には、外縁フレーム１１２０（１）のみを個別に単独で引き下げて撤収可能であるのに対し、肩保護用垂直フレーム１４２５を引き下げて撤収する場合にはこれに連動して外縁フレーム１１２０（１）も引き下げられて撤収するものとなる。上述の図９（ｃ）及び図９（ｄ）の説明は、肩保護用垂直フレーム１４２５と外縁フレーム１１２０（１）（又は湾曲用フレーム１１２０（２））との間の連携関係を示す典型例であって、任意の公知の連携構成を採用することができる。例えば、図９（ｅ）及び図９（ｆ）に示すように、肩保護用垂直フレーム１４２５と外縁フレーム１１２０（１）との間の係止具を中央破線で曲折可能に構成してその中央部分を引き上げれば、肩保護用垂直フレーム１４２５と外縁フレーム１１２０（１）とが共に引き上げられる構成とすることもできる。係止具に設けられた挿通孔がフレームに対して垂直から斜めになると平面視孔径が小さくなるので各フレームに引っ掛かり、各フレームが上方へ引き上げられるものとなる。
【００４４】
また、図８は、背負い容器１３００の内部構成の一例を斜め上方から観察した状態を説明する図である。図８の構図では紙面右側に背負い帯１２００が位置して人の背中側となり、紙面左側が人のいない外側となる。図８に示すように、人の背中側から外側に向けて順に、肩保護用垂直フレーム１４２５、肩保護シート１４１０、頭上保護フレーム１１２０を収納する空間を、背負い容器１３００内に設けることができる。この場合でも、各収納空間は占有容積を小さいものとできるので、背負い容器１３００は嵩張ることなく薄い板状態にすることが可能である。また、背負い容器１３００を例えば柔軟性や可撓性があるフレキシブルな素材で形成してもよい。また、肩保護シート１４１０や頭上保護シート１１１０は、撥水性や防水性やＵＶカット機能等のいずれかの機能を備える布や合成樹脂フィルム、ビニール、紙等を用いることもできる。また、背負い容器１３００の両端に、装着者の上腕と胸とを覆うポンチョを構成する撥水シートを収納／展開自在に設けておくこともできる。雨の場合には展開して上腕と胸とを覆うポンチョとして両体側から展開して胸部分でマジックテープ等で留めるものとしてもよい。この場合には、背負い容器１３００の両端の体側（背中側）からポンチョ素材が展開されることが自然な展開を構成する観点から好ましい。
【００４５】
上述した実施形態で説明した背負い式傘携帯セット１０００等は、実施形態での個別具体的な説明に限定されるものではなく、本発明の範囲内かつ自明・公知な範囲内で自由にその構成や素材・動作を変更し、組み合わせ適用して実現することが可能である。
【産業上の利用可能性】
【００４６】
本発明は、任意の場所に携行可能なコンパクトな傘である背負い式傘携帯セットに好適である。
【符号の説明】
【００４７】
１０００・・背負い式傘携帯セット、１１００・・頭上保護部、１１１０・・頭上保護シート、１１２０・・頭上保護フレーム、１１３０・張架ロープ・、１２００・・背負い帯、１３００・・背負い容器、１４００・・肩保護部、１４１０・・肩保護シート、１４２０・・肩保護用上端フレーム、１４２７・・係合紐。
【図１】
2020078372.tif 000003
【図２】
2020078372.tif 000004
【図３】
2020078372.tif 000005
【図４】
2020078372.tif 000006
【図５】
2020078372.tif 000007
【図６】
2020078372.tif 000008
【図７】
2020078372.tif 000009
【図８】
2020078372.tif 000010
【図９】
2020078372.tif 000011
【図１０】
2020078372.tif 000012
【図１１】
2020078372.tif 000013
【図１２】
2020078372.tif 000014